(57)【要約】【課題】視聴装置の有る部屋から別の視聴装置の有るどの部屋に移動する場合であっても、番組を途切れることなく視聴できるテレビジョン放送視聴システムを提供する。【解決手段】主テレビ１、２台の副テレビ２Ａ、２Ｂが互いにネットワーク接続され、各々固有のアドレスが割り当てられている。主テレビ１は、受信チャンネルの番組の出力中に、その番組を特定の副テレビで継続視聴するための操作を受け付け、この操作を受け付けたとき、その特定の副テレビのアドレス情報及び出力中の番組のチャンネル情報を通信Ｉ／Ｆ部１７よりネットワークに送出する。副テレビ２Ａ、２Ｂは、通信Ｉ／Ｆ部２７Ａ、２７Ｂを通じネットワークよりアドレス情報及びチャンネル情報を受け入れ、そのアドレス情報と自己のアドレスとが一致したとき、チャンネル情報に対応したチャンネルで受信し、その番組を記録媒体に記録する。記録した番組を再生して出力する。【選択図】図１
2008113116.tif 000002
【特許請求の範囲】
【請求項１】
個々にテレビジョン放送を受信し受信したチャンネルの番組を出力する主視聴装置及び複数の副視聴装置より成るテレビジョン放送視聴システムにおいて、
前記主視聴装置及び前記副視聴装置が互いにネットワーク接続され、前記主視聴装置及び前記副視聴装置には、各々固有のアドレスが割り当てられていて、
前記主視聴装置は、
受信しているチャンネルの番組の出力中に、その番組を特定の副視聴装置で継続して視聴するための操作を受け付ける主側受付け手段と、
この主側受付け手段で操作を受け付けたとき、その操作に応じた前記特定の副視聴装置のアドレス情報及び出力中の番組のチャンネル情報をネットワークに送出する主側送出手段と、を含み、
前記副視聴装置は、
ネットワークより前記主側送出手段から送出されたアドレス情報及びチャンネル情報を受け入れる副側受入れ手段と、
この副側受入れ手段で受け入れたアドレス情報と自己のアドレスとを照合する副側照合手段と、
この副側照合手段での照合によりアドレスが一致したとき、前記副側受入れ手段で受け入れたチャンネル情報に対応したチャンネルでテレビジョン放送を受信し、その番組をハードディスクに記録する副側記録手段と、
この副側記録手段で記録した番組を再生して出力する副側再生手段と、を含んでおり、
前記副視聴装置は、更に、
前記副側再生手段で番組を早送り再生しその番組の再生時刻が実際の受信時刻に追いついた状態での出力中に、その番組を他の特定の副視聴装置又は前記主視聴装置で継続して視聴するための操作を受け付ける副側受付け手段と、
この副側受付け手段で操作を受け付けたとき、その操作に応じた前記他の特定の副視聴装置又は前記主視聴装置のアドレス情報及び出力中の番組のチャンネル情報をネットワークに送出する副側送出手段と、を含み、
前記主視聴装置は、更に、
ネットワークより前記副側送出手段から送出されたアドレス情報及びチャンネル情報を受け入れる主側受入れ手段と、
この主側受入れ手段で受け入れたアドレス情報と自己のアドレスとを照合する主側照合手段と、
この主側照合手段での照合によりアドレスが一致したとき、前記主側受入れ手段で受け入れたチャンネル情報に対応したチャンネルでテレビジョン放送を受信し、その番組をハードディスクに記録する主側記録手段と、
この主側記録手段で記録した番組を再生して出力する主側再生手段と、を含むことを特徴とするテレビジョン放送視聴システム。
【請求項２】
個々にテレビジョン放送を受信し受信したチャンネルの番組を出力する主視聴装置及び複数の副視聴装置が互いにネットワーク接続されて成るテレビジョン放送視聴システムであって、
前記主視聴装置及び前記副視聴装置には、各々固有のアドレスが割り当てられていて、
前記主視聴装置は、
受信しているチャンネルの番組の出力中に、その番組を特定の副視聴装置で継続して視聴するための操作を受け付ける主側受付け手段と、
この主側受付け手段で操作を受け付けたとき、その操作に応じた前記特定の副視聴装置のアドレス情報及び出力中の番組のチャンネル情報をネットワークに送出する主側送出手段と、を含み、
前記副視聴装置は、
ネットワークより前記主側送出手段から送出されたアドレス情報及びチャンネル情報を受け入れる副側受入れ手段と、
この副側受入れ手段で受け入れたアドレス情報と自己のアドレスとを照合する副側照合手段と、
この副側照合手段での照合によりアドレスが一致したとき、前記副側受入れ手段で受け入れたチャンネル情報に対応したチャンネルでテレビジョン放送を受信し、その番組を記録媒体に記録する副側記録手段と、
この副側記録手段で記録した番組を再生して出力する副側再生手段と、を含むことを特徴とするテレビジョン放送視聴システム。
【請求項３】
前記副視聴装置は、更に、
前記副側再生手段で番組を早送り再生しその番組の再生時刻が実際の受信時刻に追いついた状態での出力中に、その番組を他の特定の副視聴装置で継続して視聴するための操作を受け付ける副側受付け手段と、
この副側受付け手段で操作を受け付けたとき、その操作に応じた前記他の特定の副視聴装置のアドレス情報及び出力中の番組のチャンネル情報をネットワークに送出する副側送出手段と、を含むことを特徴とする請求項２に記載のテレビジョン放送視聴システム。
【請求項４】
前記副視聴装置は、更に、
前記副側再生手段で番組を早送り再生しその番組の再生時刻が実際の受信時刻に追いついた状態での出力中に、その番組を前記主視聴装置で継続して視聴するための操作を受け付ける副側受付け手段と、
この副側受付け手段で操作を受け付けたとき、その操作に応じた前記主視聴装置のアドレス情報及び出力中の番組のチャンネル情報をネットワークに送出する副側送出手段と、を含み、
前記主視聴装置は、更に、
ネットワークより前記副側送出手段から送出されたアドレス情報及びチャンネル情報を受け入れる主側受入れ手段と、
この主側受入れ手段で受け入れたアドレス情報と自己のアドレスとを照合する主側照合手段と、
この主側照合手段での照合によりアドレスが一致したとき、前記主側受入れ手段で受け入れたチャンネル情報に対応したチャンネルでテレビジョン放送を受信し、その番組を記録媒体に記録する主側記録手段と、
この主側記録手段で記録した番組を再生して出力する主側再生手段と、を含むことを特徴とする請求項２に記載のテレビジョン放送視聴システム。
【請求項５】
前記記録媒体がハードディスクであることを特徴とする請求項２から４のいずれかに記載のテレビジョン放送視聴システム。
【発明の詳細な説明】
【技術分野】
【０００１】
本発明は、個々にテレビジョン放送を受信し受信したチャンネルの番組を出力する主視聴装置及び複数の副視聴装置より成るテレビジョン放送視聴システムに関し、特に、主視聴装置及び副視聴装置が互いにネットワーク接続されたテレビジョン放送視聴システムに関する。
【背景技術】
【０００２】
視聴装置の代表格であるテレビは、一般家庭に広く普及しており、居間や書斎や寝室や子供部屋といったような互いにある程度距離を隔てた部屋ごとに据えられることも決して珍しいことではない。その場合、例えば居間のテレビを視聴している視聴者が、自分の意志や家族の要望により、別のテレビの据えられた部屋に移動する事態も起こり得る。そのような事態になったとき、視聴者が移動前のテレビで視聴していた番組を移動先のテレビで視聴しようとすると、移動に要した時間の分場面が途切れてしまい、十分に番組を楽しめないという不都合が生じる。
【０００３】
このような不都合に対して、従来では、移動前のテレビで視聴している番組の続きを移動先のテレビに備えた記録媒体に記録し、その移動先のテレビで記録媒体に記録された番組を再生するテレビジョン放送視聴システムが提案されている（例えば、特許文献１、２参照）。このテレビジョン放送視聴システムでは、一方のテレビの据えられた部屋から他方のテレビの据えられた部屋に移動する場合、場面が途切れることなく番組を継続して視聴することができる。
【特許文献１】特開２００４−３６３６５９号公報
【特許文献２】特開２００４−４８１３２号公報
【発明の開示】
【発明が解決しようとする課題】
【０００４】
しかし、上記した従来のテレビジョン放送視聴システムは、２台のテレビ（視聴装置）間では一応は有効であるが、テレビの台数が３台以上では有効に機能するものとは言えず、実用性に乏しい。
【０００５】
そこで本発明は、上記の問題に鑑みてなされたものであり、ある視聴装置の据えられた部屋から、これとは別の視聴装置の据えられたどの部屋に移動する場合であっても、場面が途切れることなく番組を継続して視聴することができるテレビジョン放送視聴システムを提供することを目的とするものである。
【課題を解決するための手段】
【０００６】
上記目的を達成するため、本発明によるテレビジョン放送視聴システムは、個々にテレビジョン放送を受信し受信したチャンネルの番組を出力する主視聴装置及び複数の副視聴装置より成るテレビジョン放送視聴システムにおいて、次の点を特徴とする。前記主視聴装置及び前記副視聴装置が互いにネットワーク接続され、前記主視聴装置及び前記副視聴装置には、各々固有のアドレスが割り当てられている。前記主視聴装置は、受信しているチャンネルの番組の出力中に、その番組を特定の副視聴装置で継続して視聴するための操作を受け付ける主側受付け手段と、この主側受付け手段で操作を受け付けたとき、その操作に応じた前記特定の副視聴装置のアドレス情報及び出力中の番組のチャンネル情報をネットワークに送出する主側送出手段と、を含む。前記副視聴装置は、ネットワークより前記主側送出手段から送出されたアドレス情報及びチャンネル情報を受け入れる副側受入れ手段と、この副側受入れ手段で受け入れたアドレス情報と自己のアドレスとを照合する副側照合手段と、この副側照合手段での照合によりアドレスが一致したとき、前記副側受入れ手段で受け入れたチャンネル情報に対応したチャンネルでテレビジョン放送を受信し、その番組をハードディスクに記録する副側記録手段と、この副側記録手段で記録した番組を再生して出力する副側再生手段と、を含んでいる。そして、前記副視聴装置は、更に、前記副側再生手段で番組を早送り再生しその番組の再生時刻が実際の受信時刻に追いついた状態での出力中に、その番組を他の特定の副視聴装置又は前記主視聴装置で継続して視聴するための操作を受け付ける副側受付け手段と、この副側受付け手段で操作を受け付けたとき、その操作に応じた前記他の特定の副視聴装置又は前記主視聴装置のアドレス情報及び出力中の番組のチャンネル情報をネットワークに送出する副側送出手段と、を含む。前記主視聴装置は、更に、ネットワークより前記副側送出手段から送出されたアドレス情報及びチャンネル情報を受け入れる主側受入れ手段と、この主側受入れ手段で受け入れたアドレス情報と自己のアドレスとを照合する主側照合手段と、この主側照合手段での照合によりアドレスが一致したとき、前記主側受入れ手段で受け入れたチャンネル情報に対応したチャンネルでテレビジョン放送を受信し、その番組をハードディスクに記録する主側記録手段と、この主側記録手段で記録した番組を再生して出力する主側再生手段と、を含む。
【０００７】
また、上記目的を達成するための本発明によるテレビジョン放送視聴システムは、個々にテレビジョン放送を受信し受信したチャンネルの番組を出力する主視聴装置及び複数の副視聴装置が互いにネットワーク接続されて成るテレビジョン放送視聴システムであって、前記主視聴装置及び前記副視聴装置には、各々固有のアドレスが割り当てられている。前記主視聴装置は、受信しているチャンネルの番組の出力中に、その番組を特定の副視聴装置で継続して視聴するための操作を受け付ける主側受付け手段と、この主側受付け手段で操作を受け付けたとき、その操作に応じた前記特定の副視聴装置のアドレス情報及び出力中の番組のチャンネル情報をネットワークに送出する主側送出手段と、を含む。前記副視聴装置は、ネットワークより前記主側送出手段から送出されたアドレス情報及びチャンネル情報を受け入れる副側受入れ手段と、この副側受入れ手段で受け入れたアドレス情報と自己のアドレスとを照合する副側照合手段と、この副側照合手段での照合によりアドレスが一致したとき、前記副側受入れ手段で受け入れたチャンネル情報に対応したチャンネルでテレビジョン放送を受信し、その番組を記録媒体に記録する副側記録手段と、この副側記録手段で記録した番組を再生して出力する副側再生手段と、を含む。
【０００８】
このような構成にすれば、主視聴装置で出力していた番組は、特定の副視聴装置での番組継続視聴の入力操作がなされると、その続きがその特定の副視聴装置の記録媒体に記録され、再生によってその特定の副視聴装置から出力される。
【発明の効果】
【０００９】
本発明のテレビジョン放送視聴システムによれば、主視聴装置の据えられた部屋から、これとは別の副視聴装置の据えられたどの部屋に移動する場合であっても、場面が途切れることなく番組を継続して視聴することができる。
【発明を実施するための最良の形態】
【００１０】
以下に、本発明の実施形態について図面を参照しながら詳述する。まず、本発明の第１実施形態であるテレビジョン放送視聴システムについて説明する。図１は本発明の第１実施形態を含む各実施形態に共通するテレビジョン放送視聴システムの概略構成を示すブロック図、図２は第１実施形態のテレビジョン放送視聴システムでの主視聴装置の動作を示すフローチャート、図３は第１実施形態のテレビジョン放送視聴システムでの副視聴装置の動作を示すフローチャートである。
【００１１】
図１に示すように、本実施形態のテレビジョン放送視聴システムは、大きくは、主視聴装置としての主テレビ１と、副視聴装置としての２台の副テレビ２Ａ、２Ｂと、より構成される。これらの主テレビ１、副テレビ２Ａ、２Ｂは、例えば、主テレビ１が家族の集う居間に据えられ、１台目の副テレビ２Ａが書斎に据えられ、２台目の副テレビ２Ｂが寝室に据えられるといったように、互いにある程度距離を隔てて据えられている。
【００１２】
ここでの主テレビ１、副テレビ２Ａ、２Ｂは、いずれも、個々にテレビジョン放送を受信し、受信したチャンネルの番組の映像信号及び音声信号を出力することができる。更に、いずれも、受信した番組の映像、音声信号を一旦記録媒体に記録し、記録した映像、音声信号を読み出して出力することができる。そして、これらの主テレビ１、副テレビ２Ａ、２Ｂは、互いにネットワークで接続され、それぞれに固有のアドレスが割り当てられていて、互いに信号を送受信することができる。
【００１３】
詳細には、本実施形態での主テレビ１は、チューナ部１１、ＡＶ処理部１２、表示部１３、スピーカ１４、受光部１５、記録／読取り部１６、通信インターフェース（Ｉ／Ｆ）部１７、これらを制御する制御部１８より構成される。チューナ部１１は、外部のアンテナで受信したテレビジョン放送の電波信号を受け取り、所望のチャンネルを選局してそのチャンネルの番組を構成する電気信号を出力する。ＡＶ処理部１２は、チューナ部１１からの電気信号に所定の処理を施して、受信した番組の映像信号と音声信号を抽出する。
【００１４】
表示部１３は、ＡＶ処理部１２からの映像信号に基づく映像を表示する。スピーカ１４は、ＡＶ処理部１２からの音声信号に基づく音声を発する。これら表示部１３とスピーカ１４により、番組の出力がなされる。
【００１５】
受光部１５は、外部のリモートコントローラ（以下、「リモコン」と記すことがある）からの操作信号を受け取る。記録／読取り部１６は、そのリモコン操作に従った制御部１８からの指令や、通信Ｉ／Ｆ部１７で受け取った信号に従った制御部１８からの指令により駆動し、ＡＶ処理部１２からの映像、音声信号を記録媒体であるハードディスクに記録したり、ハードディスクに記録されている映像、音声信号を読み出したりする。そのハードディスクから読み出された映像、音声信号は、ＡＶ処理部１２を経て表示部１３とスピーカ１４から出力される。こうして、番組の再生がなされる。
【００１６】
通信Ｉ／Ｆ部１７は、無線ＬＡＮやＢｌｕｅｔｏｏｔｈ等のネットワークに接続され、視聴者によるリモコン操作に従ってそのネットワークに信号を送出したり、ネットワークから信号を受け取ったりする。そのネットワークには、２台の副テレビ２Ａ、２Ｂが接続されている。もっとも、ここでの通信Ｉ／Ｆ部１７は、ネットワークを構成するハブやルータ等の中継器３に接続される。
【００１７】
一方、本実施形態での１台目の副テレビ２Ａは、チューナ部２１Ａ、ＡＶ処理部２２Ａ、表示部２３Ａ、スピーカ２４Ａ、受光部２５Ａ、記録／読取り部２６Ａ、通信Ｉ／Ｆ部２７Ａ、これらを制御する制御部２８Ａより構成される。チューナ部２１Ａは、外部のアンテナで受信したテレビジョン放送の電波信号を受け取り、所望のチャンネルを選局してそのチャンネルの番組を構成する電気信号を出力する。ＡＶ処理部２２Ａは、チューナ部２１Ａからの電気信号に所定の処理を施して、受信した番組の映像信号と音声信号を抽出する。
【００１８】
表示部２３Ａは、ＡＶ処理部２２Ａからの映像信号に基づく映像を表示する。スピーカ２４Ａは、ＡＶ処理部２２Ａからの音声信号に基づく音声を発する。これら表示部２３Ａとスピーカ２４Ａにより、番組の出力がなされる。
【００１９】
受光部２５Ａは、外部のリモコンからの操作信号を受け取る。記録／読取り部２６Ａは、そのリモコン操作に従った制御部２８Ａからの指令や、通信Ｉ／Ｆ部２７Ａで受け取った信号に従った制御部２８Ａからの指令により駆動し、ＡＶ処理部２２Ａからの映像、音声信号を記録媒体であるハードディスクに記録したり、ハードディスクに記録されている映像、音声信号を読み出したりする。そのハードディスクから読み出された映像、音声信号は、ＡＶ処理部２２Ａを経て表示部２３Ａとスピーカ２４Ａから出力される。こうして、番組の再生がなされる。この再生には、通常の再生速度よりもやや速い早送り再生も含まれる。
【００２０】
通信Ｉ／Ｆ部２７Ａは、中継器３を介してネットワークに接続され、視聴者によるリモコン操作に従ってそのネットワークに信号を送出したり、ネットワークから信号を受け取ったりする。
【００２１】
また、本実施形態での２台目の副テレビ２Ｂは、１台目の副テレビ２Ａの構成と同じく、チューナ部２１Ｂ、ＡＶ処理部２２Ｂ、表示部２３Ｂ、スピーカ２４Ｂ、受光部２５Ｂ、記録／読取り部２６Ｂ、通信Ｉ／Ｆ部２７Ｂ、これらを制御する制御部２８Ｂより構成される。
【００２２】
続いて、このようなテレビジョン放送視聴システムの動作について、図２、図３を参照しながら説明する。ここでは、視聴者が居間の主テレビ１でまさに受信中の番組を視聴しているときに、副テレビ２Ａ、２Ｂの据えられた別の部屋、すなわち書斎又は寝室に移動する事態になり、その別の部屋の副テレビ２Ａ、２Ｂでその番組を場面が途切れることなく継続して視聴しようとする状況を想定している。
【００２３】
まず主テレビ１は、図２に示すように、ステップ＃５にて、チューナ部１１で受信しているチャンネルの番組を表示部１３とスピーカ１４より出力している。なおその際、副テレビ２Ａ、２Ｂは、表示部２３Ａ、２３Ｂ、スピーカ２４Ａ、２４Ｂ、記録／読取り部２６Ａ、２６Ｂ等の停止した待機状態にある（図３のステップ＃１０５参照）。
【００２４】
ここで、ステップ＃１０にて、視聴者からの主テレビ１のリモコンによる操作により、居間から副テレビ２Ａ、２Ｂの据えられた書斎又は寝室に移動してそこでその番組を継続して視聴する意図の入力を待つ。この番組継続視聴の入力操作は、リモコンでの操作に従って主テレビ１の表示部１３にメニュー画面を表示させ、そのメニュー画面より、１台目の副テレビ２Ａの据えられた書斎、又は２台目の副テレビ２Ｂの据えられた寝室を選択することでなされる。
【００２５】
ステップ＃１０にて例えば書斎での番組継続視聴の入力操作がされると、ステップ＃１５に進む。視聴者は居間から書斎に移動する。ステップ＃１５では、主テレビ１の制御部１８により、書斎に据えられた１台目の副テレビ２Ａが特定され、予め登録されたその副テレビ２Ａのアドレス情報、及び現在受信・出力中のチャンネル情報にまつわる信号を通信Ｉ／Ｆ部１７よりネットワークに送出する。
【００２６】
一方副テレビ２Ａ、２Ｂは、図３に示すように、ステップ＃１０５にて待機状態にある。ここで、ステップ＃１１０にて、通信Ｉ／Ｆ部２７Ａ、２７Ｂよりネットワーク上の信号を受け入れる。
【００２７】
次いで、ステップ＃１１５にて、副テレビ２Ａ、２Ｂそれぞれの制御部２８Ａ、２８Ｂにより、受け入れた信号中のアドレス情報と自己に割り当てられたアドレスとを照合し、両者が一致する場合は、ステップ＃１２０に進み、一致しない場合は、ステップ＃１１０に戻って次の信号を待つ。今回は、視聴者が書斎への移動を意図する場合であって、ネットワークに送出された信号中のアドレス情報が、書斎に据えられた副テレビ２Ａのものであるため、書斎の副テレビ２Ａにおいては、ステップ＃１２０に進み、寝室の副テレビ２Ｂにおいては、ステップ＃１１０に戻ることになる。
【００２８】
ステップ＃１２０では、書斎の副テレビ２Ａが、その制御部２８Ａからの指令により、待機状態が解かれて起動し、受け入れた信号中のチャンネル情報に対応するチャンネルにチューナ部２１Ａを選局してその番組の受信を開始するとともに、記録／読取り部２６Ａによってその番組の映像、音声信号のハードディスクへの記録を開始する。これにより、主テレビ１で出力していた番組は、書斎での番組継続視聴の入力操作がなされると、その続きが書斎の副テレビ２Ａのハードディスクに記録されていく。
【００２９】
次いで、ステップ＃１２５にて、書斎に到着した視聴者からの副テレビ２Ａのリモコンによる操作により、その副テレビ２Ａで番組の続きを再生する入力を待つ。ステップ＃１２５にて再生の入力操作がされると、ステップ＃１３０に進む。
【００３０】
ステップ＃１３０では、副テレビ２Ａの制御部２８Ａからの指令により、記録／読取り部２６Ａによるハードディスクからの番組の映像、音声信号の読取りを開始するとともに、表示部２３Ａとスピーカ２４Ａによってその映像、音声信号の再生出力を開始する。これにより、主テレビ１で出力していた番組の続きが書斎の副テレビ２Ａから出力される。従って、視聴者は、主テレビ１の据えられた居間から１台目の副テレビ２Ａの据えられた書斎に移動する場合であっても、場面が途切れることなく番組を継続して視聴することができる。
【００３１】
そのステップ＃１３０での再生は、通常の速度での再生あっても構わないし、いわゆる追っかけ再生やタイムシフト再生といったように通常の速度よりもやや速い早送り再生であってもよい。早送り再生による番組再生の場合、その再生時刻が実際の受信時刻に次第に近づいていき、そのまま視聴し続ければ、最終的には追いついた状態になる。
【００３２】
なお、今回は、視聴者が居間から書斎への移動を意図した場合について説明したが、視聴者が居間から寝室へ移動する場合は、上記した１台目の副テレビ２Ａでの動作と２台目の副テレビ２Ｂでの動作が丁度入れ代わり、主テレビ１で出力していた番組の続きが寝室の副テレビ２Ｂから出力される。よって、視聴者は、主視聴装置としての主テレビ１の据えられた部屋から、これとは別の副視聴装置としての副テレビ２Ａ、２Ｂの据えられたどの部屋に移動する場合であっても、場面が途切れることなく番組を継続して視聴することができる。
【００３３】
次に、本発明の第２実施形態について図４を参照しながら説明する。図４は第２実施形態のテレビジョン放送視聴システムでの副視聴装置の動作を示すフローチャートである。本第２実施形態の特徴は、第１実施形態におけるテレビジョン放送視聴システムをシステム全体としてより有効に活用できるように図った点にある。つまり、第１実施形態では、主テレビ１の有る部屋から一方の副テレビ２Ａ、２Ｂの有る部屋に移動しての継続視聴で完結する形であったが、更に、別の副テレビ２Ａ、２Ｂの有る部屋に移動しての継続視聴を許容できるように図った。なお、第１実施形態と概ね共通する動作には同じステップ番号を付し、重複する説明は省略する。後述する第３実施形態においても同様とする。
【００３４】
図４に示すように、本実施形態のステップ＃１３０では、視聴者が最初の移動先とした書斎の副テレビ２Ａでハードディスクからの番組の映像、音声信号の再生出力を早送り再生で開始する。これにより、主テレビ１で出力していた番組の続きが書斎の副テレビ２Ａから早送り再生で出力される。
【００３５】
そのうちに、ステップ＃１３５にて、番組の再生時刻が実際の受信時刻に追いついた状態になる。つまり、副テレビ２Ａは、チューナ部２１Ａで受信しているチャンネルの番組を表示部２３Ａとスピーカ２４Ａより出力しており、視聴者は、移動先の書斎の副テレビ２Ａでまさに受信中の番組を視聴している。
【００３６】
ここで、ステップ＃１４０にて、視聴者からの副テレビ２Ａのリモコンによる操作により、書斎から更に別の副テレビ２Ｂの据えられた寝室に移動してそこでその番組を継続して視聴する意図の入力を待つ。この更なる番組継続視聴の入力操作は、リモコンでの操作に従って副テレビ２Ａの表示部２３Ａにメニュー画面を表示させ、そのメニュー画面より、２台目の副テレビ２Ｂの据えられた寝室を選択することでなされる。
【００３７】
ステップ＃１４０にて寝室での更なる番組継続視聴の入力操作がされると、ステップ＃１４５に進む。視聴者は書斎から寝室に移動する。ステップ＃１４５では、副テレビ２Ａの制御部２８Ａにより、寝室に据えられた２台目の副テレビ２Ｂが特定され、予め登録されたその副テレビ２Ｂのアドレス情報、及び現在受信・出力中のチャンネル情報にまつわる信号を通信Ｉ／Ｆ部２７Ａよりネットワークに送出する。
【００３８】
そして、ステップ＃１１０に戻って、副テレビ２Ａ、２Ｂは、それぞれの通信Ｉ／Ｆ部２７Ａ、２７Ｂよりネットワーク上の信号を受け入れ、ステップ＃１１５でアドレスの照合を行う。今回は、視聴者が更に寝室への移動を意図する場合であって、ネットワークに送出された信号中のアドレス情報が、寝室に据えられた副テレビ２Ｂのものであるため、寝室の副テレビ２Ｂにおいては、ステップ＃１２０に進み、ステップ＃１２５、＃１３０を経て、居間の主テレビ１から移った書斎の副テレビ２Ａで出力していた番組の続きが寝室の副テレビ２Ｂから出力される。従って、視聴者は、主テレビ１の据えられた居間から１台目の副テレビ２Ａの据えられた書斎に移動し、更に２台目の副テレビ２Ｂが据えられた寝室に移動する場合であっても、場面が途切れることなく番組を継続して視聴することができる。一方書斎の副テレビ２Ａにおいては、ステップ＃１１０に戻って次の信号を待つ。
【００３９】
なお、今回は、視聴者が居間から書斎に移動した後更に寝室への移動を意図した場合について説明したが、上記の第１実施形態と同様、視聴者が居間から寝室に移動した後更に書斎へ移動する場合は、上記した１台目の副テレビ２Ａでの動作と２台目の副テレビ２Ｂでの動作が丁度入れ代わり、居間の主テレビ１から移った寝室の副テレビ２Ｂで出力していた番組の続きが書斎の副テレビ２Ａから出力される。よって、視聴者は、主視聴装置としての主テレビ１の据えられた部屋から、これとは別の副視聴装置としての副テレビ２Ａ、２Ｂの据えられたどの部屋に移動する場合であっても、場面が途切れることなく番組を継続して視聴することができ、更に別の副テレビ２Ａ、２Ｂの据えられたどの部屋に移動する場合であっても、場面が途切れることなく番組を継続して視聴することができる。
【００４０】
次に、本発明の第３実施形態について図４、図５を参照しながら説明する。図５は第３実施形態のテレビジョン放送視聴システムでの主視聴装置の動作を示すフローチャートである。本第３実施形態の特徴は、第２実施形態の観点と同じく、第１実施形態におけるテレビジョン放送視聴システムをシステム全体としてより有効に活用できるように図った点にある。つまり、第１実施形態では、主テレビ１の有る部屋から一方の副テレビ２Ａ、２Ｂの有る部屋に移動しての継続視聴で完結する形であったが、更に、主テレビ１の有る部屋に移動しての継続視聴を許容できるように図った。
【００４１】
図４に示すように、本実施形態のステップ＃１４０では、視聴者からの副テレビ２Ａのリモコンによる操作により、視聴者が最初の移動先とした書斎から更に主テレビ１の据えられた居間に移動してそこでその番組を継続して視聴する意図の入力を待つ。この更なる番組継続視聴の入力操作は、リモコンでの操作に従って副テレビ２Ａの表示部２３Ａにメニュー画面を表示させ、そのメニュー画面より、主テレビ１の据えられた居間を選択することでなされる。
【００４２】
ステップ＃１４０にて居間での更なる番組継続視聴の入力操作がされると、ステップ＃１４５に進む。視聴者は書斎から居間に移動する。ステップ＃１４５では、副テレビ２Ａの制御部２８Ａにより、居間に据えられた主テレビ１が特定され、予め登録されたその主テレビ１のアドレス情報、及び現在受信・出力中のチャンネル情報にまつわる信号を通信Ｉ／Ｆ部２７Ａよりネットワークに送出する。
【００４３】
そして、ステップ＃１１０に戻って、副テレビ２Ａ、２Ｂは、それぞれの通信Ｉ／Ｆ部２７Ａ、２７Ｂよりネットワーク上の信号を受け入れ、ステップ＃１１５でアドレスの照合を行う。今回は、視聴者が更に居間への移動を意図する場合であって、ネットワークに送出された信号中のアドレス情報が、居間に据えられた主テレビ１のものであるため、書斎の副テレビ２Ａ、寝室の副テレビ２Ｂにおいては、いずれもステップ＃１１０に戻って次の信号を待つ。
【００４４】
一方主テレビ１は、図５に示すように、ステップ＃２０にて待機状態にある。つまり、居間から書斎への最初の継続視聴のために、ステップ＃１５にてネットワークに信号を送出した後、制御部１８からの指令や、視聴者からのリモコン操作により、表示部１３、スピーカ１４、記録／読取り部１６等が停止されている。ここで、ステップ＃２５にて、主テレビ１の通信Ｉ／Ｆ部１７よりネットワーク上の信号を受け入れる。
【００４５】
次いで、ステップ＃３０にて、主テレビ１の制御部１８により、受け入れた信号中のアドレス情報と自己に割り当てられたアドレスとを照合し、両者が一致する場合は、ステップ＃３５に進み、一致しない場合は、ステップ＃２５に戻って次の信号を待つ。今回は、視聴者が更に居間への移動を意図する場合であって、ネットワークに送出された信号中のアドレス情報が、居間に据えられた主テレビ１のものであるため、居間の主テレビ１においては、ステップ＃３５に進むことになる。
【００４６】
ステップ＃３５では、居間の主テレビ１が、その制御部１８からの指令により、待機状態が解かれて起動し、受け入れた信号中のチャンネル情報に対応するチャンネルにチューナ部１１を選局してその番組の受信を開始するとともに、記録／読取り部１６によってその番組の映像、音声信号のハードディスクへの記録を開始する。これにより、居間の主テレビ１から移った書斎の副テレビ２Ａで出力していた番組は、居間での更なる番組継続視聴の入力操作がなされると、その続きが居間の主テレビ１のハードディスクに記録されていく。
【００４７】
次いで、ステップ＃４０にて、居間に到着した視聴者からの主テレビ１のリモコンによる操作により、その主テレビ１で番組の続きを再生する入力を待つ。ステップ＃４０にて再生の入力操作がされると、ステップ＃４５に進む。
【００４８】
ステップ＃４５では、主テレビ１の制御部１８からの指令により、記録／読取り部１６によるハードディスクからの番組の映像、音声信号の読取りを開始するとともに、表示部１３とスピーカ１４によってその映像、音声信号の再生出力を開始する。これにより、居間の主テレビ１から移った書斎の副テレビ２Ａで出力していた番組の続きが居間の主テレビ１から出力される。従って、視聴者は、主テレビ１の据えられた居間から１台目の副テレビ２Ａの据えられた書斎に移動し、更に主テレビ１が据えられた居間に移動する場合であっても、場面が途切れることなく番組を継続して視聴することができる。
【００４９】
そのステップ＃４５での再生は、通常の速度での再生あっても構わないし、早送り再生であってもよい。
【００５０】
なお、ステップ＃４５での再生を早送り再生とした場合、主テレビ１において、ステップ＃４５の後に、副テレビ２Ａ、２Ｂでのステップ＃１３５と同様の手順を踏んで、ステップ＃１０に戻るようにしてもよい。更に副テレビ２Ａ、２Ｂの有る部屋に移動しての継続視聴を許容できるからである。
【００５１】
その他本発明は上記の各実施形態に限定されず、本発明の趣旨を逸脱しない範囲で、種々の変更が可能である。例えば、主視聴装置である主テレビ１、副視聴装置である副テレビ２Ａ、２Ｂとしては、上記の実施形態でのように表示部１３、２３Ａ、２３Ｂと記録／読取り部１６、２６Ａ、２６Ｂとを一体的に搭載したものであってもよいし、記録／読取り部を別個独立したレコーダとして備えてもよい。もっとも、上記の第１、第２実施形態に関していえば、主テレビ１に記録／読取り部１６は必ずしも必要ではない。
【００５２】
また、副テレビの台数を２台以上に増やすことも可能であるし、主テレビや副テレビの据えられる部屋に限定はない。また、主テレビ、副テレビを互いに接続するネットワークに関しては、無線のものに限らず有線のものであってもよい。
【産業上の利用可能性】
【００５３】
本発明は、個々にテレビジョン放送を受信し受信したチャンネルの番組を出力する主視聴装置及び複数の副視聴装置より成るテレビジョン放送視聴システムに有用である。
【図面の簡単な説明】
【００５４】
【図１】本発明の各実施形態に共通するテレビジョン放送視聴システムの概略構成を示すブロック図である。
【図２】本発明の第１実施形態のテレビジョン放送視聴システムでの主視聴装置の動作を示すフローチャートである。
【図３】第１実施形態のテレビジョン放送視聴システムでの副視聴装置の動作を示すフローチャートである。
【図４】本発明の第２、第３実施形態のテレビジョン放送視聴システムでの副視聴装置の動作を示すフローチャートである。
【図５】本発明の第３実施形態のテレビジョン放送視聴システムでの主視聴装置の動作を示すフローチャートである。
【符号の説明】
【００５５】
１    主テレビ（主視聴装置）
１１    チューナ部
１２    ＡＶ処理部
１３    表示部
１４    スピーカ
１５    受光部
１６    記録／読取り部
１７    通信Ｉ／Ｆ部
１８    制御部
２Ａ、２Ｂ    副テレビ（副視聴装置）
２１Ａ、２１Ｂ    チューナ部
２２Ａ、２２Ｂ    ＡＶ処理部
２３Ａ、２３Ｂ    表示部
２４Ａ、２４Ｂ    スピーカ
２５Ａ、２５Ｂ    受光部
２６Ａ、２６Ｂ    記録／読取り部
２７Ａ、２７Ｂ    通信インターフェース部
２８Ａ、２８Ｂ    制御部
３    中継器
【図１】
2008113116.tif 000003
【図２】
2008113116.tif 000004
【図３】
2008113116.tif 000005
【図４】
2008113116.tif 000006
【図５】
2008113116.tif 000007